(57)【特許請求の範囲】
【請求項１】
携帯型電子機器であって、
レシーバと、
前記レシーバとは別に設けられた音出力部と、
前記レシーバ及び前記音出力部を制御する制御部と
を備え、
前記制御部は、前記音出力部に音を出力させる音出力処理を行っている際に、前記携帯型電子機器の使用者の耳が当該携帯型電子機器に近づいたこと及び接触したことの少なくとも一方を検出すると、当該音出力処理で当該音出力部に出力させた音を再生して前記レシーバに出力させる音再生処理を行う、携帯型電子機器。
【請求項２】
請求項１に記載の携帯型電子機器であって、
前記制御部は、前記音出力処理を行っている際に、前記使用者の耳が前記携帯型電子機器に近づいたことを検出すると準備処理を行い、その後、当該耳が当該携帯型電子機器にさらに近づいたことあるいは接触したことを検出すると前記音再生処理を行う、携帯型電子機器。
【請求項３】
請求項２に記載の携帯型電子機器であって、
前記準備処理には、前記制御部が前記音出力部の音量を小さくする処理、あるいは前記音出力部の音出力を停止する処理が含まれる、携帯型電子機器。
【請求項４】
請求項２及び請求項３のいずれか一つに記載の携帯型電子機器であって、
表示部をさらに備え、
前記準備処理には、前記制御部が前記表示部の表示をオフにする処理が含まれる、携帯型電子機器。
【請求項５】
請求項２乃至請求項４のいずれか一つに記載の携帯型電子機器であって、
音入力部と、
通信相手装置と通信を行う通信部と
をさらに備え、
前記制御部が前記音出力部、前記音入力部及び前記通信部を制御することによって前記携帯型電子機器は通信相手装置との間で通話を行い、
前記音出力処理は、前記携帯型電子機器が通話を行っている際の前記制御部が前記音出力部に音を出力させる処理であって、
前記準備処理には、前記制御部が前記通信部を使用して通信相手装置に対して前記音再生処理の実行を通知する処理及び前記制御部が前記音入力部の機能をオフする処理の少なくとも一方が含まれる、携帯型電子機器。
【請求項６】
請求項１乃至請求項５のいずれか一つに記載の携帯型電子機器であって、
加速度センサをさらに備え、
前記制御部は、前記加速度センサの出力信号に基づいて前記使用者の耳が前記携帯型電子機器に近づいたことを検出する、携帯型電子機器。
【請求項７】
請求項１乃至請求項６のいずれか一つに記載の携帯型電子機器であって、
近接センサをさらに備え、
前記制御部は、前記近接センサの出力信号に基づいて前記使用者の耳が前記携帯型電子機器に近づいたことを検出する、携帯型電子機器。
【請求項８】
請求項１乃至請求項７のいずれか一つに記載の携帯型電子機器であって、
撮像部をさらに備え、
前記制御部は、前記音出力処理を行っている際に前記撮像部において前記使用者の耳が撮像されると、当該耳が前記携帯型電子機器に近づいたと判断する、携帯型電子機器。
【請求項９】
請求項１乃至請求項８のいずれか一つに記載の携帯型電子機器であって、
前記携帯型電子機器への物体の接触を検出するタッチパネルをさらに備え、
前記制御部は、前記タッチパネルの出力信号に基づいて前記使用者の耳が前記携帯型電子機器に接触したことを検出する、携帯型電子機器。
【請求項１０】
請求項１乃至請求項３のいずれか一つに記載の携帯型電子機器であって、
撮像部と、
表示部と、
音入力部と、
通信相手装置と通信を行う通信部と
をさらに備え、
前記制御部が前記撮像部、前記表示部、前記音出力部、前記音入力部及び前記通信部を制御することによって前記携帯型電子機器は通信相手装置との間でテレビ電話通信を行い、
前記音出力処理は、前記携帯型電子機器がテレビ電話通信を行っている際の前記制御部が前記音出力部に音を出力させる処理であって、
前記制御部は、前記携帯型電子機器がテレビ電話通信を行っている際に前記撮像部において前記使用者の顔が撮像されなくなると、当該使用者の耳が前記携帯型電子機器に近づいたと判断する、携帯型電子機器。
【請求項１１】
請求項１に記載の携帯型電子機器であって、
前記制御部は、前記音再生処理において、前記使用者の耳が前記携帯型電子機器に近い状態あるいは接触した状態で音の再生が終了した際には、前記音出力処理で出力する音を前記レシーバに出力させ、その後、前記使用者の耳が前記携帯型電子機器から離れることを検出すると、前記レシーバに音を出力させないようにする、携帯型電子機器。
【請求項１２】
請求項１１に記載の携帯型電子機器であって、
前記制御部は、前記音出力処理を行っている際に、前記携帯型電子機器の使用者の耳が当該携帯型電子機器に近づいたこと及び接触したことの少なくとも一方を検出すると、前記音再生処理を行うとともに、前記音出力部の音量を小さくするかあるいは当該音出力部の音出力を中断し、
前記制御部は、前記使用者の耳が前記携帯型電子機器から離れることを検出すると、前記レシーバに音を出力させないようにするとともに、前記音出力部の音量を元に戻すかあるいは当該音出力部の音出力を再開する、携帯型電子機器。
【請求項１３】
請求項１１及び請求項１２のいずれか一つに記載の携帯型電子機器であって、
表示部をさらに備え、
前記制御部は、前記音出力処理を行っている際に、前記携帯型電子機器の使用者の耳が当該携帯型電子機器に近づいたこと及び接触したことの少なくとも一方を検出すると、前記音再生処理を行うとともに、前記表示部の表示をオフにし、
前記制御部は、前記使用者の耳が前記携帯型電子機器から離れることを検出すると、前記レシーバに音を出力させないようにするとともに、前記表示部の表示をオンにする、携帯型電子機器。
【請求項１４】
請求項１乃至請求項１３のいずれか一つに記載の携帯型電子機器であって、
前記制御部は、
前記音出力処理において前記携帯型電子機器に入力される音をリアルタイムに前記音出力部に出力させる場合には当該音を録音し、前記音再生処理において録音した当該音を再生して前記レシーバに出力させ、
前記音出力処理において記憶済みの音を再生して前記音出力部に出力させる場合には、前記音再生処理において当該記憶済みの音を巻き戻して再生する、携帯型電子機器。
【請求項１５】
請求項１乃至請求項１４のいずれか一つに記載の携帯型電子機器であって、
前記レシーバは、
前記携帯型電子機器の前面に設けられたカバーパネルと、
前記カバーパネルの内側主面上に設けられ、前記制御部によって音信号に基づいて振動される圧電振動素子と
を有する、携帯型電子機器。
【請求項１６】
請求項１５に記載の携帯型電子機器であって、
前記音出力部は、イヤホンあるいはヘッドホンに音を出力する外部出力部であって、
前記音再生処理において、前記制御部は、前記音出力処理で前記外部出力部に出力させた音を再生して前記レシーバ及び前記外部出力部の両方に出力させる、携帯型電子機器。
【請求項１７】
請求項１５及び請求項１６のいずれか一つに記載の携帯型電子機器であって、
前記圧電振動素子が前記カバーパネルを振動させることによって、当該カバーパネルから気導音及び伝導音が前記使用者に伝達される、携帯型電子機器。
【発明の詳細な説明】
【技術分野】
【０００１】
本発明は、携帯型電子機器に関する。
【背景技術】
【０００２】
従来から携帯型電子機器に関して様々な技術が提案されている。例えば特許文献１には、携帯型電子機器の一種である携帯電話機に関する技術が開示されている。
【先行技術文献】
【特許文献】
【０００３】
【特許文献１】特表２０１０−５０７８７０号公報
【発明の概要】
【発明が解決しようとする課題】
【０００４】
携帯電話機等の携帯型電子機器においては、外部スピーカから音が出力されたり、イヤホンあるいはヘッドホンに音を出力する外部出力部から音が出力されたりすることがある。例えば、携帯型電子機器が通信相手装置とテレビ電話通信を行っている際には、外部スピーカから音が出力されることがある。携帯型電子機器の使用者が、外部スピーカから出力される音を聞く際には、その外部スピーカの性能及び周囲の環境等によって音が聞きづらい場合がある。また、使用者が、外部出力部から出力される音をイヤホンあるいはヘッドホンで聞く場合にも、イヤホンあるいはヘッドホンの性能及び周囲の環境等によって音が聞きづらいことがある。
【０００５】
そこで、本発明は上述の点に鑑みて成されたものであり、使用者が聞きづらかった音を簡単に聞き直すことが可能な技術を提供することを目的とする。
【課題を解決するための手段】
【０００６】
上記課題を解決するため、本発明に係る携帯型電子機器は、レシーバと、前記レシーバとは別に設けられた音出力部と、前記レシーバ及び前記音出力部を制御する制御部とを備え、前記制御部は、前記音出力部に音を出力させる音出力処理を行っている際に、前記携帯型電子機器の使用者の耳が当該携帯型電子機器に近づいたこと及び接触したことの少なくとも一方を検出すると、当該音出力処理で当該音出力部に出力させた音を再生して前記レシーバに出力させる音再生処理を行う。
【０００７】
また、本発明に係る携帯型電子機器の一態様では、前記制御部は、前記音出力処理を行っている際に、前記使用者の耳が前記携帯型電子機器に近づいたことを検出すると準備処理を行い、その後、当該耳が当該携帯型電子機器にさらに近づいたことあるいは接触したことを検出すると前記音再生処理を行う。
【０００８】
また、本発明に係る携帯型電子機器の一態様では、前記準備処理には、前記制御部が前記音出力部の音量を小さくする処理、あるいは前記音出力部の音出力を停止する処理が含まれる。
【０００９】
また、本発明に係る携帯型電子機器の一態様では、表示部が設けられ、前記準備処理には、前記制御部が前記表示部の表示をオフにする処理が含まれる。
【００１０】
また、本発明に係る携帯型電子機器の一態様では、音入力部と、通信相手装置と通信を行う通信部とがさらに設けられ、前記制御部が前記音出力部、前記音入力部及び前記通信部を制御することによって前記携帯型電子機器は通信相手装置との間で通話を行い、前記音出力処理は、前記携帯型電子機器が通話を行っている際の前記制御部が前記音出力部に音を出力させる処理であって、前記準備処理には、前記制御部が前記通信部を使用して通信相手装置に対して前記音再生処理の実行を通知する処理及び前記制御部が前記音入力部の機能をオフする処理の少なくとも一方が含まれる。
【００１１】
また、本発明に係る携帯型電子機器の一態様では、加速度センサがさらに設けられ、前記制御部は、前記加速度センサの出力信号に基づいて前記使用者の耳が前記携帯型電子機器に近づいたことを検出する。
【００１２】
また、本発明に係る携帯型電子機器の一態様では、近接センサがさらに設けられ、前記制御部は、前記近接センサの出力信号に基づいて前記使用者の耳が前記携帯型電子機器に近づいたことを検出する。
【００１３】
また、本発明に係る携帯型電子機器の一態様では、撮像部がさらに設けられ、前記制御部は、前記音出力処理を行っている際に前記撮像部において前記使用者の耳が撮像されると、当該耳が前記携帯型電子機器に近づいたと判断する。
【００１４】
また、本発明に係る携帯型電子機器の一態様では、前記携帯型電子機器への物体の接触を検出するタッチパネルがさらに設けられ、前記制御部は、前記タッチパネルの出力信号に基づいて前記使用者の耳が前記携帯型電子機器に接触したことを検出する。
【００１５】
また、本発明に係る携帯型電子機器の一態様では、撮像部と、表示部と、音入力部と、通信相手装置と通信を行う通信部とがさらに設けられ、前記制御部が前記撮像部、前記表示部、前記音出力部、前記音入力部及び前記通信部を制御することによって前記携帯型電子機器は通信相手装置との間でテレビ電話通信を行い、前記音出力処理は、前記携帯型電子機器がテレビ電話通信を行っている際の前記制御部が前記音出力部に音を出力させる処理であって、前記制御部は、前記携帯型電子機器がテレビ電話通信を行っている際に前記撮像部において前記使用者の顔が撮像されなくなると、当該使用者の耳が前記携帯型電子機器に近づいたと判断する。
【００１６】
また、本発明に係る携帯型電子機器の一態様では、前記制御部は、前記音再生処理において、前記使用者の耳が前記携帯型電子機器に近い状態あるいは接触した状態で音の再生が終了した際には、前記音出力処理で出力する音を前記レシーバに出力させ、その後、前記使用者の耳が前記携帯型電子機器から離れることを検出すると、前記レシーバに音を出力させないようにする。
【００１７】
また、本発明に係る携帯型電子機器の一態様では、前記制御部は、前記音出力処理を行っている際に、前記携帯型電子機器の使用者の耳が当該携帯型電子機器に近づいたこと及び接触したことの少なくとも一方を検出すると、前記音再生処理を行うとともに、前記音出力部の音量を小さくするかあるいは当該音出力部の音出力を中断し、前記制御部は、前記使用者の耳が前記携帯型電子機器から離れることを検出すると、前記レシーバに音を出力させないようにするとともに、前記音出力部の音量を元に戻すかあるいは当該音出力部の音出力を再開する。
【００１８】
また、本発明に係る携帯型電子機器の一態様では、表示部がさらに設けられ、前記制御部は、前記音出力処理を行っている際に、前記携帯型電子機器の使用者の耳が当該携帯型電子機器に近づいたこと及び接触したことの少なくとも一方を検出すると、前記音再生処理を行うとともに、前記表示部の表示をオフにし、前記制御部は、前記使用者の耳が前記携帯型電子機器から離れることを検出すると、前記レシーバに音を出力させないようにするとともに、前記表示部の表示をオンにする。
【００１９】
また、本発明に係る携帯型電子機器の一態様では、前記制御部は、前記音出力処理において前記携帯型電子機器に入力される音をリアルタイムに前記音出力部に出力させる場合には当該音を録音し、前記音再生処理において録音した当該音を再生して前記レシーバに出力させ、前記音出力処理において記憶済みの音を再生して前記音出力部に出力させる場合には、前記音再生処理において当該記憶済みの音を巻き戻して再生する。
【００２０】
また、本発明に係る携帯型電子機器の一態様では、前記レシーバは、前記携帯型電子機器の前面に設けられたカバーパネルと、前記カバーパネルの内側主面上に設けられ、前記制御部によって音信号に基づいて振動される圧電振動素子とを有する。
【００２１】
また、本発明に係る携帯型電子機器の一態様では、前記音出力部はイヤホンあるいはヘッドホンに音を出力する外部出力部であって、前記音再生処理において、前記制御部は、前記音出力処理で前記外部出力部に出力させた音を再生して前記レシーバ及び前記外部出力部の両方に出力させる。
【００２２】
また、本発明に係る携帯型電子機器の一態様では、前記圧電振動素子が前記カバーパネルを振動させることによって、当該カバーパネルから気導音及び伝導音が前記使用者に伝達される。
【発明の効果】
【００２３】
本発明によれば、使用者は聞きづらかった音を簡単に聞き直すことができる。
【図面の簡単な説明】
【００２４】
【図１】携帯型電子機器の外観を示す斜視図である。
【図２】携帯型電子機器の外観を示す前面図である。
【図３】携帯型電子機器の外観を示す裏面図である。
【図４】携帯型電子機器の外観を示す側面図である。
【図５】携帯型電子機器の電気的構成を主に示すブロック図である。
【図６】記憶部が記憶するプログラムを示す図である。
【図７】圧電振動素子の構造を示す上面図である。
【図８】圧電振動素子の構造を示す側面図である。
【図９】圧電指導素子が撓み振動する様子を示す図である。
【図１０】圧電指導素子が撓み振動する様子を示す図である。
【図１１】携帯型電子機器の上下方向における断面構造を示す図である。
【図１２】カバーパネルをその内側主面側から見た際の平面図である。
【図１３】気導音及び伝導音を説明するための図である。
【図１４】携帯型電子機器の動作を示すフローチャートである。
【図１５】使用者の耳が携帯型電子機器に近づいている様子を示す図である。
【図１６】携帯型電子機器の動作を示すフローチャートである。
【発明を実施するための形態】
【００２５】
＜携帯型電子機器の外観＞
図１〜４は、それぞれ、実施の形態に係る携帯型電子機器１の外観を示す斜視図、前面図、裏面図及び側面図である。図４は、図２に示される携帯型電子機器１を紙面左側から見た際の当該携帯型電子機器１が示されている。本実施の形態に係る携帯型電子機器１は、例えば携帯電話機である。
【００２６】
図１〜４に示されるように、携帯型電子機器１は、カバーパネル２とケース部分３を備えており、カバーパネル２とケース部分３とが組み合わされることによって、平面視で略長方形の板状を成す機器ケース４が構成されている。
【００２７】
カバーパネル２は、平面視において略長方形を成しており、携帯型電子機器１の前面部分における、周縁部分以外の部分を構成している。カバーパネル２は、例えば、透明のガラスあるいは透明のアクリル樹脂で形成されている。ケース部分３は、携帯型電子機器１の前面部分の周縁部分、側面部分及び裏面部分を構成している。ケース部分３は、例えばポリカーボネート樹脂で形成されている。
【００２８】
カバーパネル２には、文字、記号、図形等の各種情報が表示される表示部分２ａが設けられている。表示部分２ａは例えば平面視で長方形を成している。カバーパネル２における、表示部分２ａを取り囲む周縁部分２ｂは、例えばフィルム等が貼られることによって黒色となっており、情報が表示されない非表示部分となっている。カバーパネル２の内側主面には後述するタッチパネル１３０が貼り付けられており、使用者は、カバーパネル２の表示部分２ａを指等で操作することによって、携帯型電子機器１に対して各種指示を与えることができる。
【００２９】
機器ケース４の内部には、複数の操作ボタン１４１を備える操作部１４０が設けられている。各操作ボタン１４１は、いわゆる「ハードキー」であって、その表面が、カバーパネル２の外側主面２０の下側端部から露出している。カバーパネル２の下側端部には、複数の操作ボタン１４１を露出させるための穴があけられている。また、カバーパネル２の下側端部にはマイク穴３０があけられている。カバーパネル２の外側主面２０の上側端部からは、後述する前面側撮像部２００が有する撮像レンズ２００ａが露出している。なお、本実施の形態に係る携帯型電子機器１では、「ハードキー」である三つの操作ボタン１４１が設けられているが、操作ボタン１４１の個数を適宜変更しても良いし、操作ボタン１４１を設けなくても良い。
【００３０】
図２に示されるように、機器ケース４の内部には、後述する圧電振動素子２２１及び近接センサ１５０が設けられている。また、図３に示されるように、携帯型電子機器１の裏面１０、言い換えれば機器ケース４の裏面には、スピーカ穴４０があけられている。携帯型電子機器１の裏面１０からは、後述する裏面側撮像部２１０が有する撮像レンズ２１０ａが露出している。また、図４に示されるように、携帯型電子機器１をカバーパネル２側から見た際の当該携帯型電子機器１の左側側面１１には外部端子５０が設けられている。外部端子５０にはイヤホンあるいはヘッドホンが有線で接続される。以後、イヤホン及びヘッドホンを総称して「音出力装置」と呼ぶことがある。
【００３１】
＜携帯型電子機器の電気的構成＞
図５は携帯型電子機器１の電気的構成を主に示すブロック図である。図５に示されるように、携帯型電子機器１には、制御部１００、無線通信部１１０、表示パネル１２０、タッチパネル１３０、操作部１４０、近接センサ１５０、加速度センサ１６０及び外部出力部１７０が設けられている。さらに携帯型電子機器１には、圧電振動素子２２１及びカバーパネル２で構成されたレシーバ２２０、外部スピーカ１８０、音入力部であるマイク１９０、前面側撮像部２００、裏面側撮像部２１０及び電池２３０が設けられている。携帯型電子機器１に設けられた、カバーパネル２以外のこれらの構成要素は、機器ケース４内に収められている。
【００３２】
制御部１００は、ＣＰＵ（Central Processing Unit）１０１、ＤＳＰ（Digital Signal Processor）１０２及び記憶部１０３等を備えており、携帯型電子機器１の他の構成要素を制御することによって、携帯型電子機器１の動作を統括的に管理する。記憶部１０３は、ＲＯＭ（Read Only Memory）及びＲＡＭ（Random Access Memory）等で構成されている。図６に示されるように、記憶部１０３には、携帯型電子機器１の動作、具体的には携帯型電子機器１が備える無線通信部１１０、表示パネル１２０等の各構成要素を制御するための制御プログラムであるメインプログラム１０４及び複数のアプリケーションプログラム１０５等が記憶されている。制御部１００の各種機能は、ＣＰＵ１０１及びＤＳＰ１０２が記憶部１０３内の各種プログラムを実行することによって実現される。
【００３３】
無線通信部１１０は、アンテナ１１１を有している。無線通信部１１０は、携帯型電子機器１とは別の携帯電話機あるいはインターネットに接続されたウェブサーバ等の通信装置からの信号を基地局を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号などを取得する。また無線通信部１１０は、制御部１００で生成された、音信号等を含む送信信号に対してアップコンバート及び増幅処理を行って、処理後の送信信号をアンテナ１１１から無線送信する。アンテナ１１１からの送信信号は、基地局を通じて、携帯型電子機器１とは別の携帯電話機あるいはインターネットに接続された通信装置で受信される。
【００３４】
また、無線通信部１１０は、テレビ放送を受信するテレビアンテナ１１２を有しており、テレビアンテナ１１２で受信した受信信号を制御部１００に出力する。制御部１００は、入力されたテレビ放送の受信信号に含まれる動画像及び音声等を取得する。
【００３５】
表示パネル１２０は、例えば、液晶表示パネルあるいは有機ＥＬパネルであって、制御部１００によって制御されることによって、文字、記号、図形などの各種情報を表示する。表示パネル１２０に表示される情報は、カバーパネル２の表示部分２ａに表示されることによって、当該情報は携帯型電子機器１の使用者に視認可能となる。
【００３６】
タッチパネル１３０は、例えば、投影型静電量容量方式のタッチパネルであって、カバーパネル２の表示部分２ａに対する物体の接触を検出する。タッチパネル１３０は、カバーパネル２の内側主面に貼り付けられており、互いに対向配置されたシート状の二つの電極センサを備えている。二つの電極センサは透明粘着性シートによって貼り合わされている。
【００３７】
一方の電極センサには、それぞれがＸ軸方向（例えば携帯型電子機器１の左右方向）に沿って延在し、かつ互いに平行に配置された複数の細長いＸ電極が形成されている。他方の電極センサには、それぞれがＹ軸方向（例えば携帯型電子機器１の上下方向）に沿って延在し、かつ互いに平行に配置された複数の細長いＹ電極が形成されている。カバーパネル２の表示部分２ａに対して使用者の指等が接触すると、その接触箇所の下にあるＸ電極及びＹ電極の間の静電容量が変化することによって、タッチパネル１３０においてカバーパネル２の表示部分２ａに対する操作（接触）が検出される。タッチパネル１３０において生じる、Ｘ電極及びＹ電極の間の静電容量変化は制御部１００に伝達され、制御部１００は当該静電容量変化に基づいてカバーパネル２の表示部分２ａに対して行われた操作の内容を特定し、それに応じた動作を行う。
【００３８】
操作部１４０は、複数の操作ボタン１４１のそれぞれについて、当該操作ボタン１４１が使用者によって押下されると、当該操作ボタン１４１が押下されたことを示す操作信号を制御部１００に出力する。制御部１００は、入力される操作信号に基づいて、複数の操作ボタン１４１のうちのどの操作ボタン１４１が操作されたかを特定し、操作された操作ボタン１４１に応じた動作を行う。
【００３９】
近接センサ１５０は、例えば赤外線方式の近接センサであって、当該近接センサ１５０に対して物体が所定距離以内に近づくと検出信号を出力する。この検出信号は制御部１００に入力される。携帯型電子機器１をカバーパネル２側（前面側）から見ると、図２に示されるように、近接センサ１５０は、カバーパネル２の上側端部の後ろ側に配置されている。これにより、カバーパネル２に対して人の頭等が近づくと、近接センサ１５０から検出信号が出力される。つまり、携帯型電子機器１の前面に物体が近づくと、近接センサ１５０から検出信号が出力される。
【００４０】
加速度センサ１６０は、例えば、３軸加速度センサであって、互いに直交する三つの検出軸のそれぞれについて、当該検出軸に沿った方向の加速度を検出して制御部１００に出力する。
【００４１】
外部出力部１７０は、外部端子５０に接続される音出力装置に音を出力する。具体的には、外部出力部１７０は、制御部１００から出力される電気的な音信号を音出力装置に適した音信号に変換し、変換後の電気的な音信号を外部端子５０に出力する。これにより、外部端子５０に接続されたイヤホンあるいはヘッドホンから音が出力される。
【００４２】
外部スピーカ１８０は、例えばダイナミックスピーカであって、制御部１００からの電気的な音信号を音に変換して出力する。外部スピーカ１８０から出力される音は、携帯型電子機器１の裏面１０に設けられたスピーカ穴４０から外部に出力される。スピーカ穴４０から出力される音は、携帯型電子機器１から離れた場所でも聞こえるようになっている。
【００４３】
マイク１９０は、携帯型電子機器１の外部から入力される音を電気的な音信号に変換して制御部１００に出力する。携帯型電子機器１の外部からの音は、カバーパネル２の前面に設けられたマイク穴３０から携帯型電子機器１の内部に取り込まれてマイク１９０に入力される。なお、マイク穴３０は、携帯型電子機器１の側面に設けても良いし、裏面１０に設けても良い。
【００４４】
前面側撮像部２００は、撮像レンズ２００ａ及び撮像素子などで構成されており、制御部１００による制御に基づいて、静止画像及び動画像を撮像する。図１，２に示されるように、撮像レンズ２００ａは、携帯型電子機器１の前面に設けられていることから、携帯型電子機器１の前面側（カバーパネル２側）に存在する物体を撮像することが可能である。
【００４５】
裏面側撮像部２１０は、撮像レンズ２１０ａ及び撮像素子などで構成されており、制御部１００による制御に基づいて、静止画像及び動画像を撮像する。図３に示されるように、撮像レンズ２１０ａは、携帯型電子機器１の裏面１０に設けられていることから、携帯型電子機器１の裏面１０側に存在する物体を撮像することが可能である。
【００４６】
レシーバ２２０は、受話音を使用者に伝えるものであって、圧電振動素子２２１とカバーパネル２で構成されている。レシーバ２２０は、外部スピーカ１８０よりも小さい音量で音を出力する。レシーバ２２０は、使用者がカバーパネル２に耳を近づけたり接触させたりしたときに聞こえる程度の音を出力する。圧電振動素子２２１は、カバーパネル２の内側主面上に設けられており、制御部１００から与えられる駆動電圧によって振動させられる。制御部１００は、音信号に基づいて駆動電圧を生成し、当該駆動電圧を圧電振動素子２２１に与える。圧電振動素子２２１が、制御部１００によって音信号に基づいて振動させられることによって、カバーパネル２が音信号に基づいて振動し、その結果、使用者に受話音が伝達される。レシーバ２２０については後で詳細に説明する。
【００４７】
電池２３０は、携帯型電子機器１の電源を出力する。電池２３０から出力された電源は、携帯型電子機器１が備える制御部１００及び無線通信部１１０などに含まれる各電子部品に対して供給される。
【００４８】
記憶部１０３には様々なアプリケーションプログラム１０５（以後、単に「アプリケーション１０５」と呼ぶ）が記憶されている。記憶部１０３には、例えば、音声通話を行うための音声通話アプリケーション、通話の一種であるテレビ電話通信を行うためのテレビ電話アプリケーション、ウェブサイトを表示するためのブラウザ、電子メールの作成・閲覧・送受信を行うためのメールアプリケーション、記憶部１０３に記憶されている静止画像データを表示するためのアプリケーション、記憶部１０３に記憶されている音楽データを再生するための音楽再生アプリケーションが記憶されている。
【００４９】
また記憶部１０３には、記憶部１０３内に記憶されている、互いに関連づけられた音データ及び動画像データ（音付き動画像データ）を再生するための動画像再生アプリケーション（以後、「記憶動画像再生アプリケーション」と呼ぶ）、ウェブサイトからストリーミング方式あるいはプログレッシブダウンロード方式等によって配信される音付き動画像データを再生するための動画像再生アプリケーション（以後、「配信動画像再生アプリケーション」と呼ぶ）、アプリケーションを有料あるいは無料で提供するウェブサーバからアプリケーションをダウンロードするためのマーケットアプリケーション、携帯型電子機器１においてパズルゲーム等のゲームを行うためのゲームアプリケーション、テレビ放送を録画及び再生するためのテレビ視聴アプリケーションが記憶されている。記憶部１０３内の音付き動画像データとしては、テレビ放送のニュース番組及び英会話番組等を録画して得られる音付き動画像データ及びビデオカメラで撮像された動画像に係る音付き動画像データなどがある。
【００５０】
メインプログラム１０４を実行している制御部１００が、記憶部１０３内のアプリケーション１０５を読み出して実行すると、制御部１００は、無線通信部１１０、表示パネル１２０及びレシーバ２２０等の、携帯型電子機器１内の他の構成要素を制御し、それによって、当該アプリケーション１０５に対応する機能が携帯型電子機器１で実行される。
【００５１】
例えば、音声通話アプリケーションを実行している制御部１００は、音声の出力元がレシーバ２２０に設定されている場合には、無線通信部１１０、マイク１９０及びレシーバ２２０を制御する。これにより、携帯型電子機器１では、レシーバ２２０が使用されて通信相手装置との通話が行われる。また、音声通話アプリケーションを実行している制御部１００は、音声の出力元が外部スピーカ１８０に設定されている場合には、無線通信部１１０、外部スピーカ１８０及びマイク１９０を制御する。これにより、携帯型電子機器１では、外部スピーカ１８０が使用されて通信相手装置との通話が行われる。また、音声通話アプリケーションを実行している制御部１００は、音声の出力元が外部出力部１７０に設定されている場合には、無線通信部１１０、外部出力部１７０及びマイク１９０を制御する。これにより、携帯型電子機器１では、外部出力部１７０が使用されて通信相手装置との通話が行われる。
【００５２】
また、テレビ電話アプリケーションを実行している制御部１００は、音声の出力元が外部スピーカ１８０に設定されている場合には、無線通信部１１０、表示パネル１２０、外部スピーカ１８０、マイク１９０及び前面側撮像部２００を制御する。これにより、携帯型電子機器１では外部スピーカ１８０が使用されて通信相手装置とのテレビ電話通信が行われる。
【００５３】
また、テレビ電話アプリケーションを実行している制御部１００は、音声の出力元が外部出力部１７０に設定されている場合には、無線通信部１１０、表示パネル１２０、外部出力部１７０、マイク１９０及び前面側撮像部２００を制御する。これにより、携帯型電子機器１では外部出力部１７０が使用されて通信相手装置とのテレビ電話通信が行われる。
【００５４】
また、記憶動画像再生アプリケーションを実行している制御部１００は、音の出力元が外部スピーカ１８０に設定されている場合には、表示パネル１２０及び外部スピーカ１８０を制御する。これにより、携帯型電子機器１では、記憶部１０３内の音付き動画像データが再生される。
【００５５】
また、配信動画像再生アプリケーションを実行している制御部１００は、音の出力元が外部スピーカ１８０に設定されている場合には、無線通信部１１０、表示パネル１２０及び外部スピーカ１８０を制御する。これにより、携帯型電子機器１では、通信相手装置からストリーミング方式等で配信される音付き動画像データが再生される。
【００５６】
＜圧電振動素子の詳細＞
図７，８は、それぞれ、圧電振動素子２２１の構造を示す上面図及び側面図である。図７，８に示されるように、圧電振動素子２２１は一方向に長い形状を成している。具体的には、圧電振動素子２２１は、平面視で長方形の細長い板状を成している。圧電振動素子２２１は、例えばバイモルフ構造を有しており、シム材２２１ｃを介して互いに貼り合わされた第１圧電セラミック板２２１ａ及び第２圧電セラミック板２２１ｂを備えている。
【００５７】
圧電振動素子２２１では、第１圧電セラミック板２２１ａに対して正の電圧を印加し、第２圧電セラミック板２２１ｂに対して負の電圧を印加すると、第１圧電セラミック板２２１ａは長手方向に沿って伸び、第２圧電セラミック板２２１ｂは長手方向に沿って縮むようになる。これにより、図９に示されるように、圧電振動素子２２１は、第１圧電セラミック板２２１ａを外側にして山状に撓むようになる。
【００５８】
一方で、圧電振動素子２２１では、第１圧電セラミック板２２１ａに対して負の電圧を印加し、第２圧電セラミック板２２１ｂに対して正の電圧を印加すると、第１圧電セラミック板２２１ａは長手方向に沿って縮み、第２圧電セラミック板２２１ｂは長手方向に沿って伸びるようになる。これにより、図１０に示されるように、圧電振動素子２２１は、第２圧電セラミック板２２１ｂを外側にして山状に撓むようになる。
【００５９】
圧電振動素子２２１は、図９の状態と図１０の状態とを交互にとることによって、撓み振動を行う。制御部１００は、第１圧電セラミック板２２１ａと第２圧電セラミック板２２１ｂとの間に、正の電圧と負の電圧とが交互に現れる交流電圧を印加することによって、圧電振動素子２２１を撓み振動させる。
【００６０】
なお、図７〜１０に示される圧電振動素子２２１では、シム材２２１ｃを間に挟んで貼り合わされた第１圧電セラミック板２２１ａ及び第２圧電セラミック板２２１ｂから成る構造が一つだけ設けられていたが、複数の当該構造を積層させても良い。
【００６１】
＜圧電振動素子の配置位置＞
図１１は携帯型電子機器１の上下方向（長手方向）における断面構造を示す図である。また図１２は、カバーパネル２をその内側主面２１側から見た際の平面図である。
【００６２】
図１１，１２に示されるように、カバーパネル２の内側主面２１には、当該カバーパネル２の表示部分２ａと対向するようにタッチパネル１３０が貼り付けられている。そして、表示部である表示パネル１２０は、カバーパネル２及びタッチパネル１３０に対向するように配置されている。したがって、カバーパネル２と表示パネル１２０との間にはタッチパネル１３０が存在している。カバーパネル２では、表示パネル１２０と対向している部分が表示部分２ａとなる。
【００６３】
また、機器ケース４の内部には、ＣＰＵ１０１及びＤＳＰ１０２などの各種部品が搭載されるプリント基板２５０が設けられている。プリント基板２５０は、表示パネル１２０よりも携帯型電子機器１の裏面１０側において当該表示パネル１２０と対向するように配置されている。また、図１２に示されるように、カバーパネル２の下側端部には、複数の操作ボタン１４１をそれぞれ露出させる複数の穴２２があけられている。
【００６４】
圧電振動素子２２１は、両面テープ等の接着剤２６０によって、カバーパネル２の内側主面２１に貼り付けられている。圧電振動素子２２１は、カバーパネル２の内側主面２１上において、当該カバーパネル２を当該内側主面２１側から見た平面視で表示パネル１２０及びタッチパネル１３０とは重ならない位置に配置されている。言い換えれば、圧電振動素子２２１は、カバーパネル２をその厚み方向において内側主面２１側から見た際に、当該内側主面２１上において、表示パネル１２０及びタッチパネル１３０とは重ならない位置に配置されている。したがって、カバーパネル２と圧電振動素子２２１との間には、タッチパネル１３０及び表示パネル１２０は存在していない。
【００６５】
また、圧電振動素子２２１は、カバーパネル２の内側主面２１の上側端部２１ａ上に設けられている。具体的には、圧電振動素子２２１は、図１２に示されるように、カバーパネル２の内側主面２１の上側端部２１ａにおける左右方向（長手方向に垂直な短手方向）の中央部２１ａａ上に設けられている。
【００６６】
また、圧電振動素子２２１は、その長手方向がカバーパネル２の左右方向に一致するように配置されている。そして、圧電振動素子２２１は、その長手方向の中心が、カバーパネル２の内側主面２１の上側端部２１ａにおける左右方向の中心と一致するように、当該上側端部２１ａの中央部２１ａａに配置されている。
【００６７】
ここで、上述の図９，１０に示されるように、撓み振動を行う圧電振動素子２２１では、その長手方向の中心が最も変位量が大きくなる。したがって、圧電振動素子２２１を、その長手方向の中心が、カバーパネル２の内側主面２１の上側端部２１ａにおける左右方向の中心と一致するように、当該上側端部２１ａに配置することによって、圧電振動素子２２１における、撓み振動での変位量が最大となる箇所が、カバーパネル２の内側主面２１の上側端部２１ａにおける左右方向の中心に一致するようになる。
【００６８】
なお、タッチパネル１３０がカバーパネル２の内側主面２１の全面に渡って存在する場合には、カバーパネル２の内側主面２１上にタッチパネル１３０を介して圧電振動素子２２１を配置しても良い。
【００６９】
＜レシーバによる受話音の発生について＞
本実施の形態に係るレシーバ２２０では、圧電振動素子２２１がカバーパネル２を振動させることによって、当該カバーパネル２から気導音及び伝導音が使用者に伝達されるようになっている。言い換えれば、圧電振動素子２２１自身の振動がカバーパネル２に伝わることにより、当該カバーパネル２から気導音及び伝導音が使用者に伝達されるようになっている。
【００７０】
ここで、気導音とは、外耳道孔（いわゆる「耳の穴」）に入った音波（空気振動）が鼓膜を振動させることによって、人の脳で認識される音である。一方で、伝導音とは、耳介が振動させられ、その耳介の振動が鼓膜に伝わって当該鼓膜が振動することによって、人の脳で認識される音である。以下に、気導音及び伝導音について詳細に説明する。
【００７１】
図１３は気導音及び伝導音を説明するための図である。図１３には、携帯型電子機器１の使用者の耳の構造が示されている。図１３においては、波線４００は気道音が脳で認識される際の音信号（音情報）の伝導経路を示しており、実線４１０が伝導音が脳で認識される際の音信号の伝導経路を示している。
【００７２】
カバーパネル２に取り付けられた圧電振動素子２２１が、受話音を示す電気的な音信号に基づいて振動させられると、カバーパネル２が振動して、当該カバーパネル２から音波が出力される。使用者が、携帯型電子機器１を手に持って、当該携帯型電子機器１のカバーパネル２を当該使用者の耳介３００に近づけると、あるいは当該携帯型電子機器１のカバーパネル２を当該使用者の耳介３００に当てると（接触させると）、当該カバーパネル２から出力される音波が外耳道孔３１０に入る。カバーパネル２からの音波は、外耳道孔３１０内を進み、鼓膜３２０を振動させる。鼓膜３２０の振動は耳小骨３３０に伝わり、耳小骨３３０が振動する。そして、耳小骨３３０の振動は蝸牛３４０に伝わって、蝸牛３４０において電気信号に変換される。この電気信号は、聴神経３５０を通って脳に伝達され、脳において受話音が認識される。このようにして、カバーパネル２から使用者に対して気導音が伝達される。
【００７３】
また、使用者が、携帯型電子機器１を手に持って、当該携帯型電子機器１のカバーパネル２を当該使用者の耳介３００に当てると、耳介３００が、圧電振動素子２２１によって振動させられているカバーパネル２によって振動させられる。耳介３００の振動は鼓膜３２０に伝わり、鼓膜３２０が振動する。鼓膜３２０の振動は耳小骨３３０に伝わり、耳小骨３３０が振動する。そして、耳小骨３３０の振動は蝸牛３４０に伝わり、蝸牛３４０において電気信号に変換される。この電気信号は、聴神経３５０を通って脳に伝達され、脳において受話音が認識される。このようにして、カバーパネル２から使用者に対して伝導音が伝達される。図１３では、耳介３００内部の耳介軟骨３００ａも示されている。
【００７４】
なお、ここでの伝導音は、骨導音（「骨伝導音」とも呼ばれる）とは異なるものである。骨導音は、頭蓋骨を振動させて、頭蓋骨の振動が直接蝸牛などの内耳を刺激することによって、人の脳で認識される音である。図１３においては、例えば下顎骨５００を振動させた場合において、骨伝導音が脳で認識される際の音信号の伝達経路を複数の円弧４２０で示している。
【００７５】
このように、本実施の形態に係る携帯型電子機器１では、圧電振動素子２２１が前面のカバーパネル２を適切に振動させることによって、カバーパネル２から携帯型電子機器１の使用者に対して気導音及び伝導音を伝えることができる。本実施の形態に係る圧電振動素子２２１では、使用者に対して適切に気導音及び伝導音を伝達できるように、その構造が工夫されている。使用者に対して気導音及び伝導音を伝えることができるように携帯型電子機器１を構成することによって様々メリットが発生する。
【００７６】
例えば、使用者は、カバーパネル２を耳に当てれば音が聞こえることから、携帯型電子機器１において耳を当てる位置をそれほど気にすることなく通話を行うことができる。
【００７７】
また、使用者は、周囲の騒音が大きい場合には、耳をカバーパネル２に強く押し当てることによって、伝導音の音量を大きくしつつ、周囲の騒音を聞こえにくくすることができる。よって、使用者は、周囲の騒音が大きい場合であっても、適切に通話を行うことができる。
【００７８】
また、使用者は、耳栓やイヤホンを耳に取り付けた状態であっても、カバーパネル２を耳（より詳細には耳介）に当てることによって、携帯型電子機器１からの受話音を認識することができる。また、使用者は、耳にヘッドホンを取り付けた状態であっても、当該ヘッドホンにカバーパネル２を当てることによって、携帯型電子機器１からの受話音を認識することができる。
【００７９】
なお、上記の例では、図１１に示されるように、タッチパネル１３０と表示パネル１２０との間に隙間を設けているが、タッチパネル１３０と表示パネル１２０とを接触させても良い。本実施の形態のように、タッチパネル１３０と表示パネル１２０との間に隙間を設ける場合には、カバーパネル２が使用者によって指等で押されて、当該カバーパネル２が表示パネル１２０側に撓み、当該カバーパネル２が表示パネル１２０に当たって（より正確にはタッチパネル１３０が表示パネル１２０に当たって）当該表示パネル１２０の表示が乱れることを抑制することができる。
【００８０】
以上のように、本実施の形態に係るレシーバ２２０は、外部スピーカ１８０で使用されるダイナミックスピーカ等で構成されているのではなく、音信号に基づいて振動される圧電振動素子２２１と、当該圧電振動素子２２１が搭載されたカバーパネル２とで構成されている。したがって、レシーバ２２０にダイナミックスピーカを用いる場合とは異なり、レシーバ用の穴（受話口の穴）をカバーパネル２に設ける必要はない。
【００８１】
＜外部スピーカ及び外部出力部の出力音のレシーバでの再生処理について＞
制御部１００がアプリケーション１０５を実行している場合には、外部スピーカ１８０が使用されて当該外部スピーカ１８０から音が出力されることがある。
【００８２】
例えば、制御部１００は、音声通話アプリケーションを実行している場合において、音の出力元が外部スピーカ１８０に設定されている場合には、無線通信部１１０で受信された音声データに含まれる音声を外部スピーカ１８０に出力させる。
【００８３】
また、制御部１００は、テレビ電話アプリケーションを実行している場合において、音の出力元が外部スピーカ１８０に設定されている場合には、無線通信部１１０で受信された音付き動画像データに含まれる動画像を表示パネル１２０に表示させるととともに、当該音付き動画像データに含まれる音声を外部スピーカ１８０に出力させる。
【００８４】
また、制御部１００は、記憶動画像再生アプリケーションを実行している場合において、音の出力元が外部スピーカ１８０に設定されている場合には、記憶部１０３内の音付き動画像データに含まれる動画像を表示パネル１２０に表示させるとともに、当該音付き動画像データに含まれる音を外部スピーカ１８０に出力させる。
【００８５】
外部出力部１７０についても同様であって、制御部１００がアプリケーション１０５を実行している場合には、外部出力部１７０が使用されて当該外部出力部１７０から音が出力されることがある。例えば、制御部１００は、配信動画像再生アプリケーションを実行している場合において、音の出力元が外部出力部１７０に設定されている場合には、無線通信部１１０で受信される音付き動画像データに含まれる動画像を表示パネル１２０に表示させるとともに、当該音付き動画像データに含まれる音を外部出力部１７０に出力させる。以後、外部出力部１７０と外部スピーカ１８０を総称して「音出力部」と呼ぶことがある。
【００８６】
携帯型電子機器１の使用者が、外部スピーカ１８０から出力される音を聞く際には、その外部スピーカ１８０の性能や周囲の環境によって音が聞きづらい場合がある。また、使用者が、外部出力部１７０から出力される音をイヤホン等の音出力装置で聞く場合にも、当該音出力装置の性能や周囲の環境によって音が聞きづらいことがある。録音された音（例えば英会話）が音出力部で再生されている場合には、使用者は、聞きづらかった音を再度再生して当該音出力部に出力させて、その音を聞き直すことが考えられる。このとき、聞き取りにくかった音を出力していた音出力部から再度同じ音を出力したとしても聞き取りにくい可能性が高い。さらに使用者は、携帯型電子機器１の表示部分２ａを操作することによって、録音された音を巻き戻して再生する必要がある。
【００８７】
そこで、本実施の形態に係る携帯型電子機器１では、制御部１００がアプリケーション１０５を実行している場合に音出力部から音を出力させている際に、携帯型電子機器１に対して使用者の耳が近づけられると、当該音出力部から出力された音が再生されてレシーバ２２０から出力されるようになっている。つまり、携帯型電子機器１では、制御部１００は、音出力部から音を出力させる音出力処理を行っている際に、携帯型電子機器１に対して使用者の耳が近づいたことを検出すると、当該音出力部から出力された音を再生してレシーバ２２０に出力させる音再生処理を行うようになっている。これにより、使用者は、音出力部からの音が聞きづらかった場合には、自身の耳を携帯型電子機器１に近づけることによってあるいは接触させることによって、当該音出力部とは別に設けられたレシーバ２２０を使用して、その聞きづらかった音を聞き直すことができる。よって、使用者は、聞きづらかった音を簡単に聞き直すことができる。さらに、使用者は、聞きづらかった音出力部からの音を当該音出力部とは別に設けられたレシーバ２２０を使用して聞き直すことができることから、聞き直した際にその音が聞こえやすくなる可能性が高くなる。以下に、このレシーバ２２０での音再生処理について説明する。
【００８８】
図１４は、テレビ電話アプリケーションが実行されているときにレシーバ２２０での音再生処理が行われる際の当該携帯型電子機器１の動作を示すフローチャートである。図１４に示されるように、ステップｓ１において、制御部１００は、使用者がカバーパネル２の表示部分２ａを操作することによって携帯型電子機器１に対してテレビ電話アプリケーションの実行指示を行うと、記憶部１０３内からテレビ電話アプリケーションを読み出して実行する。これにより、携帯型電子機器１は、無線通信部１１０、表示パネル１２０、マイク１９０及び音出力部（外部スピーカ１８０あるいは外部出力部１７０）を使用して通信相手装置とテレビ電話通信を開始する。テレビ電話通信では、音出力部に音を出力させる音出力処理が行われる。
【００８９】
次にステップｓ２において、制御部１００は、音出力部から出力される音（通信相手装置の使用者の音声）の録音を開始する。制御部１００は、例えば、無線通信部１１０が受信する最新の一定時間（例えば３０秒間）の音を上書きしながら録音し、録音した当該最新の一定時間の音を記憶部１０３に記憶する。したがって、テレビ電話通信が行われている間、記憶部１０３には常に、通信相手装置から受信した最新の音声（詳細には音声データ）が一定時間だけ保存されることになる。
【００９０】
音出力部から出力される音の録音が開始した後に、ステップｓ３において、制御部１００が、図１５に示されるように使用者６００の耳６１０が携帯型電子機器１に近づいたことを検出すると、具体的には、使用者６００の耳６１０が携帯型電子機器１のレシーバ２２０を構成するカバーパネル２に近づいたことを検出すると、ステップｓ４において、制御部１００は、音出力部から出力された音を再生してレシーバ２２０に出力させる音再生処理を行う。以後、単に「音再生処理」と言えば、音出力部から出力された音を再生してレシーバ２２０に出力させる処理を意味する。テレビ電話通信において音出力部から出力されていた音を聞いていた使用者が、音出力部からの音が聞きづらかった場合には、その音をレシーバ２２０で聞き直すために、自身の耳を携帯型電子機器１に近づけようとする。そうすると、携帯型電子機器１ではステップｓ３，ｓ４が順次実行される。なお、使用者の耳が携帯型電子機器１に近づいたことを検出する方法については後で詳細に説明する。
【００９１】
ステップｓ４においては、制御部１００は、記憶部１０３内の録音された音を再生してレシーバ２２０に出力させる。このとき、録音された一定時間の音を最初から再生しても良いし、途中から再生しても良い。録音された音を途中から再生する場合には、当該録音された音において最近の無音時点を特定し、その無音時点から再生しても良い。これにより、音出力部から出力された音が再生されてレシーバ２２０のカバーパネル２から出力される。よって、カバーパネル２に耳を近づけているか接触させている使用者は、カバーパネル２からの再生音を聞くことによって、聞きづらかった音出力部からの音を聞き直すことができる。制御部１００は、録音された音に係る音信号（音データ）に基づいて圧電振動素子２２１を駆動することによって、当該音を再生してカバーパネル２から出力させる。なお、ステップｓ４においては、録音された音を再生する際、倍速再生を行って再生時間を短縮してもよい。例えば、周囲の環境によって一時的に音が聞きづらかったが、再生する際にそれが解消されている場合などは、通信相手をできるだけ待たせないように、倍速再生を行って、再生時間を短縮してもよい。
【００９２】
ステップｓ３が実行されると、制御部１００は、ステップｓ４において、音再生処理以外にも、音再生処理を実行するにあたって行うことが望ましい付属処理を行う。本実施の形態では、付随処理として、制御部１００は、表示パネル１２０のバックライトを消灯するなどして当該表示パネル１２０の表示をオフにする。また制御部１００は、付随処理として、音出力部の機能をオフにする。つまり、制御部１００は、音出力部の音出力を停止する。使用者は、レシーバ２２０のカバーパネル２に耳を近づけてあるいは接触させて、聞きづらかった音を聞き直すことから、表示パネル１２０の表示がオンとなっており、カバーパネル２の表示部分２ａにテレビ電話通信の動画像が表示されていると、煩わしいと感じることがある。また、外部スピーカ１８０から音が出力されている状態で、使用者が耳をカバーパネル２に近づけていったときには、外部スピーカ１８０からの音を煩わしく感じたり、外部スピーカ１８０からの音によってカバーパネル２からの音が聞こえにくかったりすることがある。また、外部出力部１７０からの音がイヤホンから出力されている状態で、使用者がイヤホンを付けている耳とは逆の耳をカバーパネル２に近づけたり接触させたりする場合には、イヤホンからの音を煩わしく感じたり、イヤホンからの音によってカバーパネル２からの音が聞こえにくかったりすることがある。そこで、本実施の形態では、音再生処理の付随処理として、制御部１００は、表示パネル１２０の表示をオフにするとともに、音出力部の音出力を停止している。これにより、携帯型電子機器１の消費電力が低減するといった効果も発生する。なお、音出力部の音出力を停止する代わりに、音出力部の音量を小さくしても良い。
【００９３】
また、制御部１００は、付随処理として、無線通信部１１０を使用して、携帯型電子機器１がテレビ電話通信を行っている通信相手装置に対して音再生処理の実行の通知を行う。具体的には、制御部１００は、音再生処理の実行の通知を行うための通知信号を生成して、この通知信号を、テレビ電話通信を行っている通信相手装置に向けて無線通信部１１０に送信させる。通信相手装置は、携帯型電子機器１から音再生処理の実行が通知されると、その旨を示す情報（以後、「音再生処理実行通知情報」と呼ぶ）を自装置の表示部に表示するなどして、当該通信相手装置の使用者に対して携帯型電子機器１での音再生処理の実行を通知する。通信相手装置の表示部には、音再生処理実行通知情報として、例えば「音の聞き直しを実行中」といった文字列が表示される。これにより、携帯型電子機器１とテレビ電話通信を行っている通信相手装置の使用者は、携帯型電子機器１の使用者が、音出力部から出力された音をレシーバ２２０で聞き直していることを認識することができる。その結果、通信相手装置の使用者が、携帯型電子機器１で音再生処理が行われている際に、当該通信相手装置と携帯型電子機器１との間の通信が異常になったと間違って認識することを抑制することができる。
【００９４】
また、制御部１００は、付随処理として、マイク１９０の機能をオフにする。つまり、制御部１００は、付属処理として、マイク１９０に入力される音を無効として、マイク１９０に入力される音がテレビ電話通信の通信相手装置に入力されないようにする。これにより、携帯型電子機器１の使用者がレシーバ２２０で音を聞き直している際に、不要な音が通信相手装置に入力されて、当該通信相手装置の使用者が不快な思いをすることを抑制することができる。また、制御部１００は、マイク１９０の機能をオフするとともに、無線通信部１１０を使用して、音楽あるいは「しばらくお待ちください」といったアナウンスが通信相手装置に入力されるようにしてもよい。この場合には、通信相手装置は、入力された音楽あるいはアナウンスを外部スピーカ等を利用して当該通信相手装置の使用者に伝達する。
【００９５】
音再生処理及びその付随処理が実行された後、ステップｓ５において、録音された音のレシーバ２２０での再生が終了すると、言い換えれば、音出力部から出力された音についてのレシーバ２２０での再生が終了すると、ステップｓ６において、制御部１００は、携帯型電子機器１が通常のテレビ電話通信を行うようにする。つまり、制御部１００は、携帯型電子機器１の動作を、テレビ電話アプリケーションの実行時の通常動作に復帰させる。具体的には、制御部１００は、表示パネル１２０の表示をオン、音出力部の機能をオン（音出力部の音量を小さくしている場合には、元の音量に戻す）、マイク１９０の機能をオンにするとともに、レシーバ２２０から音が出力されないようにする。これにより、表示パネル１２０には、無線通信部１１０が受信する音付き動画像データに含まれる動画像が表示され、音出力部からは当該音付き動画像データに含まれる音声が出力され、マイク１９０に入力された音声は通信相手装置に入力される。また、制御部１００は、無線通信部１１０を使用して通信相手装置に対して音再生処理の終了を通知する。通信相手装置は、携帯型電子機器１から音再生処理の終了が通知されると、自身の表示部から音再生処理実行通知情報の表示を消去して、表示部の表示を通常状態に復帰させる。
【００９６】
テレビ電話アプリケーション、音声通話アプリケーション、配信動画像再生アプリケーション及びテレビ視聴アプリケーションなどのアプリケーション１０５が実行されている場合には、携帯型電子機器１に入力される音がリアルタイムに音出力部から出力される。この場合には、音再生処理を行うために、上述のステップｓ３のように携帯型電子機器１に入力される音を録音する必要がある。
【００９７】
これに対して、記憶動画像再生アプリケーション及び音楽再生アプリケーションなどのアプリケーション１０５が実行されている場合には、当該アプリケーション１０５が実行される段階で記憶部１０３にすでに記憶されている音が再生されて音出力部から出力されることから、上述のステップｓ２は不要となる。このように、アプリケーション１０５が実行される際にすでに記憶済みの音が再生されて外部スピーカ１８０あるいは外部出力部１７０から出力される場合には、ステップｓ４での音再生処理では、制御部１００は、再生中の記憶済みの音を巻き戻して再び再生してレシーバ２２０に出力させることになる。このとき、制御部１００は、ステップｓ３において使用者の耳が携帯型電子機器１に近づいたことを検出した時点で再生中の記憶済みの音を所定時間だけ巻き戻しても良いし、使用者の耳が携帯型電子機器１に近づいたことを検出した時点で再生中の記憶済みの音を当該時点に最も近い無音時点まで巻き戻しても良い。制御部１００は、再生中の記憶済みの音を巻き戻して再び再生してレシーバ２２０に出力させる場合には、記憶済みの音が巻き戻し前の時点まで再生されると、レシーバ２２０での音出力部の出力音の再生を終了し（ステップｓ５に相当）、レシーバ２２０に音を出力させないようにするとともに、表示パネル１２０の表示をオン、音出力部の機能をオンにする（ステップｓ６に相当）。これにより、携帯型電子機器１の動作が、アプリケーション１０５が実行されている際の通常の動作に復帰する。
【００９８】
＜耳の近接の検出方法＞
制御部１００は、様々な方法で、使用者の耳が携帯型電子機器１に近づいたことを検出することができる。以下に、使用者の耳が携帯型電子機器１に近づいたことを検出する方法について複数種類説明する。
【００９９】
＜第１の近接検出方法＞
この第１の近接検出方法では、加速度センサ１６０の出力信号が使用される。使用者が、携帯型電子機器１のカバーパネル２からの音を聞こうとするために、携帯型電子機器１を手に持ってカバーパネル２を耳に近づけようとする場合には、携帯型電子機器１の加速度及び速度が大きくなる。そこで、第１の近接検出方法では、制御部１００は、加速度センサ１６０の出力信号に基づいて、使用者の耳が携帯型電子機器１に近づいたことを検出する。具体的には、例えば、制御部１００は、加速度センサ１６０から出力される、三つの検出軸についての加速度のいずれか一つがしきい値を超えると、使用者の耳が携帯型電子機器１に近づいたと判断する。あるいは、制御部１００は、例えば、加速度センサ１６０から出力される、三つの検出軸についての加速度から、当該三つの検出軸のそれぞれについて当該検出軸に沿った方向の速度を求める。そして、制御部１００は、求めた三つの速度のうちのいずれか一つがしきい値を超えると、使用者の耳が携帯型電子機器１に近づいたと判断する。
【０１００】
＜第２の近接検出方法＞
この第２の近接検出方法では、近接センサ１５０の出力信号が使用される。上述のように、携帯型電子機器１をカバーパネル２側から見ると、近接センサ１５０は、カバーパネル２の上側端部の後ろ側に配置されていることから、カバーパネル２に対して人の頭等が近づくと、近接センサ１５０から検出信号が出力される。そこで、第２の近接検出方法では、外部スピーカ１８０等の音出力部から音が出力されている場合に、近接センサ１５０から検出信号が出力されると、制御部１００は、使用者の耳が携帯型電子機器１に近づいたと判断する。
【０１０１】
＜第３の近接検出方法＞
この第３の近接検出方法では、携帯型電子機器１の前面側の物体を撮像することが可能な前面側撮像部２００が使用される。使用者が、カバーパネル２に耳を近づけようとすると、動作中の前面側撮像部２００では使用者の耳が撮像される。そこで、第３の近接検出方法では、制御部１００は、音出力部から音が出力されている場合に前面側撮像部２００を動作させて、当該前面側撮像部２００において使用者の耳が撮像されると、使用者の耳が携帯型電子機器１に近づいたと判断する。前面側撮像部２００において使用者の耳が撮像されたかについては、前面側撮像部２００から出力される画像信号を解析することによって簡単に判断可能である。
【０１０２】
＜第４の近接検出方法＞
この第４の近接検出方法では、上記の第３の近接検出方法と同様に前面側撮像部２００が使用される。携帯型電子機器１がテレビ電話通信を行っている場合には、動作中の前面側撮像部２００において使用者の顔が撮像される。そして、使用者が、カバーパネル２に耳を近づけようとすると、前面側撮像部２００においては使用者の顔が撮像されなくなる。そこで、携帯型電子機器１がテレビ電話通信を行っている場合には、言い換えれば、制御部１００においてテレビ電話アプリケーションが実行されている場合には、制御部１００は、前面側撮像部２００においては使用者の顔が撮像されなくなると、使用者の耳が携帯型電子機器１に近づいたと判断する。
【０１０３】
本実施の形態に係る携帯型電子機器１では、制御部１００は、テレビ電話アプリケーションを実行している場合には、上述のステップｓ３において、第１〜第４の近接検出方法の少なくとも一つの近接検出方法を使用する。一方で、制御部１００は、テレビ電話アプリケーション以外のアプリケーションを実行している場合には、上述のステップｓ３において、第１〜第３の近接検出方法の少なくとも一つの近接検出方法を使用する。
【０１０４】
制御部１００は、ステップｓ３において複数の近接検出方法を使用する場合には、当該複数の近接検出方法のうちの少なくとも一つの近接検出方法において使用者の耳が携帯型電子機器１に近づいたと検出すると、ステップｓ４を実行する。あるいは、制御部１００は、使用する複数の近接検出方法のすべてにおいて使用者の耳が携帯型電子機器１に近づいたと検出すると、ステップｓ４を実行する。
【０１０５】
また、ステップｓ３においては、制御部１００は、使用者の耳が携帯型電子機器１に接触したことを検出しても良い。制御部１００は、使用者の耳が携帯型電子機器１に接触したことを検出する際には、例えば、カバーパネル２の表示部分２ａへの物体の接触を検出するタッチパネル１３０の出力信号を使用する。制御部１００は、タッチパネル１３０の出力信号から、例えば、カバーパネル２の表示部分２ａにおいて物体が接触した領域の形状を特定し、その形状に基づいて、カバーパネル２の表示部分２ａに対して使用者の耳が接触したかを判断する。以後、この検出方法を「接触検出方法」と呼ぶ。
【０１０６】
ステップｓ３において、使用者の耳が携帯型電子機器１に接触したことが検出される場合には、これとともに、使用者の耳が携帯型電子機器１に近づいたことを検出しても良いししなくても良い。ステップｓ３において、制御部１００は、使用者の耳が携帯型電子機器１に接触したことだけを検出する場合には、使用者の耳が携帯型電子機器１に接触したことを検出すると、ステップｓ４を実行する。一方で、ステップｓ３において、制御部１００は、使用者の耳が携帯型電子機器１に近づいたこと及び接触したことの両方を検出する場合には、使用者の耳が携帯型電子機器１に近づいたこと及び接触したことの両方を検出すると、ステップｓ４を実行する。
【０１０７】
ステップｓ３において、使用者の耳が携帯型電子機器１に近づいたこと及び接触したことの両方の検出が行われる場合には、テレビ電話アプリケーションを実行している制御部１００は、第１〜第４の近接検出方法の少なくとも一つと接触検出方法とを使用し、テレビ電話アプリケーション以外のアプリケーションを実行している制御部１００は、第１〜第３の近接検出方法の少なくとも一つと接触検出方法とを使用する。ステップｓ３において、使用者の耳が携帯型電子機器１に近づいたこと及び接触したことの両方の検出が行われる場合であって、複数の近接検出方法が使用される場合には、制御部１００は、当該複数の近接検出方法のうちの少なくとも一つの検出方法において使用者の耳が携帯型電子機器１に近づいたことを検出し、かつ接触検出方法において使用者の耳が携帯型電子機器１に接触したことを検出すると、ステップｓ４を実行する。あるいは、制御部１００は、使用する複数の近接検出方法のすべてにおいて使用者の耳が携帯型電子機器１に近づいたことを検出し、かつ接触検出方法において使用者の耳が携帯型電子機器１に接触したことを検出すると、ステップｓ４を実行する。
【０１０８】
なお、上記の例では、レシーバ２２０は、圧電振動素子２２１とカバーパネル２とで構成されていたが、外部スピーカ１８０と同様のスピーカ、例えばダイナミックスピーカで構成されても良い。この場合には、携帯型電子機器１に内蔵されたレシーバ２２０が出力する音を携帯型電子機器１の外部に出力するためのレシーバ用の穴が、カバーパネル２の例えば上端部にあけられる。使用者は、カバーパネル２に設けられたレシーバ用の穴に耳を近づけたり、接触したりすることによって、レシーバ２２０からの音を聞くことになる。
【０１０９】
以上のように、本実施の形態では、外部スピーカ１８０等の音出力部が音を出力している際に、制御部１００は、使用者の耳が携帯型電子機器１に近づいたこと及び接触したことの少なくとも一方を検出すると、音出力部が出力した音を再生してレシーバ２２０から出力させる。したがって、音出力部から出力された音が聞きづらかった使用者は、携帯型電子機器１に耳を近づけるか接触させることによって、その聞きづらかった音をレシーバ２２０から聞くことができる。よって、使用者は、聞きづらかった音を簡単に聞き直すことができる。さらに、使用者は、聞きづらかった音出力部からの音を当該音出力部とは別のレシーバ２２０を使用して聞き直すことから、聞き直した際にその音が聞こえやすくなる可能性が高くなる。
【０１１０】
また、本実施の形態のように、レシーバ２２０を、カバーパネル２と当該カバーパネル２の内側主面２１上に設けられた圧電振動素子２２１とで構成することによって、使用者は耳をカバーパネル２に強く押し当てることによって、レシーバ２２０からの音が聞こえやすくなる。よって、使用者がレシーバ２２０を使用して音を聞き直しても再び聞きづらくなるといったことを抑制することができる。
【０１１１】
＜各種変形例＞
＜第１変形例＞
圧電振動素子２２１とカバーパネル２を備えるレシーバ２２０を使用する場合には、上述のように、使用者は、イヤホンを耳に取り付けた状態であっても、カバーパネル２にその耳を当てることによって、レシーバ２２０からの音を認識することができる。したがって、イヤホンとレシーバ２２０から同じ音を出力させると、使用者はその音を聞きやすくなる。
【０１１２】
また、使用者は、ヘッドホンを両耳に取り付けた状態であっても、当該ヘッドホンにカバーパネル２を押し当てることによって、レシーバ２２０からの音を認識することができる。したがって、ヘッドホンとレシーバ２２０から同じ音を出力させると、使用者はその音を聞きやすくなる。
【０１１３】
そこで、本変形例では、イヤホン等の音出力装置で音を聞いている使用者がレシーバ２２０で音を聞き直す際に、イヤホンを取り付けている耳をカバーパネル２に押し当てること、あるいはヘッドホンにカバーパネル２を押し当てることを想定して、制御部１００は、外部出力部１７０に音を出力させている場合には、上述のステップｓ４において、外部出力部１７０から出力された音を、レシーバ２２０だけではなく外部出力部１７０にも再生して出力させる。これにより、聞きづらかった音が音出力装置とカバーパネル２の両方から出力されることから、使用者がその音を聞き直した際に再び聞きづらくなるといったことを抑制することができる。
【０１１４】
＜第２変形例＞
音出力部から出力された音をレシーバ２２０で聞き直していた使用者は、音を聞き直した後も、レシーバ２２０を使用して、アプリケーション１０５の実行中に音出力部から出力される音（テレビ電話アプリケーションの実行時であれば無線通信部１１０で受信される、通信相手装置の使用者の音声）を聞きたい場合がある。
【０１１５】
そこで、本変形例では、制御部１００は、使用者の耳が携帯型電子機器１に近い状態あるいは接触した状態で、音出力部から出力された音についてのレシーバ２２０での再生が終了した際には、アプリケーション１０５の実行時に音出力部に出力させる音をレシーバ２２０に出力させる。言い換えれば、制御部１００は、携帯型電子機器１に近づいているあるいは接触している使用者の耳が携帯型電子機器１から離れずに、音出力部から出力された音についてのレシーバ２２０での再生が終了した際には、アプリケーション１０５の実行時に音出力部に出力させる音をレシーバ２２０に出力させる。これにより、使用者は、レシーバ２２０を使用して音を聞き直した後に、引き続きレシーバ２２０を使用して、アプリケーション１０５の実行時に音出力部に出力される音を聞くことができる。なお、制御部１００は、テレビ電話アプリケーションを実行している場合には、テレビ電話アプリケーション実行時に音出力部に出力させる音（通信相手装置の使用者の音声）をレシーバ２２０に出力させるとともに、マイク１９０の機能をオンにして、レシーバ２２０とマイク１９０を使用した音声通話を携帯型電子機器１に実行させても良い。
【０１１６】
制御部１００は、使用者の耳が携帯型電子機器１に近い状態あるいは接触した状態で、音出力部から出力された音についてのレシーバ２２０での再生が終了した後、使用者の耳が携帯型電子機器１から離れると、携帯型電子機器１の動作をアプリケーション１０５の実行時の通常動作に復帰させる。つまり、制御部１００は、使用者の耳が携帯型電子機器１から離れると、レシーバ２２０に音を出力させないようにするとともに、オフにしていた表示パネル１２０の表示をオン、オフにしていた音出力部の機能をオンにする（音出力部の音量を小さくしている場合には、元の音量に戻す）。そして、制御部１００は、無線通信部１１０を使用して通信相手装置に対して音再生処理の終了を通知する。
【０１１７】
また、制御部１００は、使用者が耳を携帯型電子機器１から離している状態でレシーバ２２０での音の再生が終了した場合には、図１４を参照して説明したように、レシーバ２２０での音の再生が終了した時点で、制御部１００は、携帯型電子機器１の動作をアプリケーション１０５の実行時の通常動作に復帰させる。
【０１１８】
制御部１００は、使用者の耳が携帯型電子機器１に近づいたことあるいは接触したことを検出する場合と同様に、加速度センサ１６０、近接センサ１５０、前面側撮像部２００あるいはタッチパネル１３０を使用して使用者の耳が携帯型電子機器１から離れたことを検出することができる。
【０１１９】
使用者は、携帯型電子機器１を手に持って耳から携帯型電子機器１を離すことから、使用者の耳が携帯型電子機器１から離れる際には、携帯型電子機器１の加速度及び速度が大きくなる。よって、制御部１００は、使用者の耳が携帯型電子機器１に近づいたことを検出する場合と同様に、加速度センサ１６０の出力信号に基づいて、使用者の耳が携帯型電子機器１から離れたことを検出することできる。
【０１２０】
また、使用者の耳が携帯型電子機器１から離れると、近接センサ１５０は検出信号を出力しなくなる。したがって、制御部１００は、近接センサ１５０から検出信号が出力されなくなった場合には、使用者の耳が携帯型電子機器１から離れたと判断する。
【０１２１】
また、使用者の耳が携帯型電子機器１から離れると、前面側撮像部２００では使用者の耳が撮像されなくなる。したがって、制御部１００は、前面側撮像部２００において使用者の耳が撮像されなくなった際には、使用者の耳が携帯型電子機器１から離れたと判断する。なお、携帯型電子機器１の表示部分２ａに使用者の耳が近づきすぎた場合又は接触した場合は、前面側撮像部２００によって耳が撮像されたとしても、制御部１００は、その撮像画像に基づいて耳が前側撮像部２００で撮像されたと認識できない場合がある。そのような場合には、制御部１００は、使用者の耳が表示部分２ａから少し離れた段階で前側撮像部２００で撮像させた画像に基づいて前側撮像部２００で耳が撮像されたと判断し、その後、当該耳が表示部分２ａからさらに離れて当該耳が前側撮像部２００で撮像されなくなった際に、使用者の耳が携帯型電子機器１から離れたと判断しても良い。また、制御部１００は、使用者の耳が携帯型電子機器１から離れたことをより正確に検出できるよう、他の検出方法と組み合わせて使用しても良い。
【０１２２】
また、携帯型電子機器１の表示部分２ａに接触していた使用者の耳が携帯型電子機器１から離れると、タッチパネル１３０では表示部分２ａに対する使用者の耳の接触が検出されなくなる。したがって、制御部１００は、タッチパネル１３０の出力信号に基づいて、使用者の耳が携帯型電子機器１から離れたことを検出することができる。
【０１２３】
＜第３変形例＞
上述の第１〜第４の近接検出方法においては、検出結果が得られるタイミング、つまり、使用者の耳が携帯型電子機器１に近づいたことが検出されるタイミングが異なっている。具体的には、検出結果が得られるタイミングは、加速度センサ１６０を用いた第１の近接検出方法、前面側撮像部２００において顔が撮像されなくなったかを判断する第４の近接検出方法、前面側撮像部２００において耳が撮像されるようになったかを判断する第３の近接検出方法、近接センサ１５０を用いた第２の近接検出方法の順で早い。つまり、使用者の耳が携帯型電子機器１に近づくにつれて、第１の近接検出方法、第４の近接検出方法、第３の近接検出方法、第２の近接検出方法の順で検出結果が得られる。なお、テレビ電話アプリケーション以外のアプリケーションが実行される場合には、第４の近接検出方法は使用できないことから、この場合には、第１の近接検出方法、第３の近接検出方法、第２の近接検出方法の順で、検出結果が得られるタイミングが早い。
【０１２４】
一方で、上述のように、音再生処理が実行される際には、表示パネル１２０の表示のオフなどの付随処理が行われる。この付随処理は、使用者がレシーバ２２０からの再生音を聞くために耳を携帯型電子機器１に近づけようとした際には、できるだけ早い段階で実行されることが望ましい。
【０１２５】
例えば、使用者が携帯型電子機器１に耳を近づけたり接触させたりして、レシーバ２２０からの再生音を聞き始めた後、しばらく経ってから、表示パネル１２０の表示をオフにした場合には、使用者は、しばらくの間、煩わしいと感じることがある。
【０１２６】
また、使用者がレシーバ２２０からの再生音を聞き始めた後、しばらく経ってから、音出力部の音出力を停止した場合には、使用者は、しばらくの間、煩わしいと感じたり、レシーバ２２０からの音が聞こえにくかったりする。
【０１２７】
また、テレビ電話アプリケーションが実行されている場合において、使用者がレシーバ２２０からの再生音を聞き始めた後、しばらく経ってから、マイク１９０の機能をオフした場合には、通信相手装置の使用者は、しばらくの間、不要な音が伝わって不快な思いをすることがある。
【０１２８】
また、テレビ電話アプリケーション及び音声通話アプリケーションなどの、通話に係るアプリケーションが実行されている場合において、使用者がレシーバ２２０からの再生音を聞き始めた後、しばらく経ってから、通信相手装置に対して携帯型電子機器１での音再生処理の実行が通知されると、当該通信相手装置の使用者は、しばらくの間、当該通信相手装置と携帯型電子機器１との間の通信に異常が発生していると勘違いすることがある。
【０１２９】
このように、音再生処理の付随処理は、使用者が耳を携帯型電子機器１に近づけようとした際には、できるだけ早い段階で実行されることが望ましい。
【０１３０】
そこで、本変形例では、制御部１００は、検出結果が得られるタイミングが異なる二つの近接検出方法を使用して、音再生処理が行われる前の準備処理として付随処理を実行することによって、できるだけ早期に付随処理を行うようにする。具体的には、制御部１００は、使用する二つの近接検出方法のうち、先に検出結果が得られる近接検出方法において使用者の耳が携帯型電子機器１に近づいたことを検出すると付随処理を行い、後に検出結果が得られる近接検出方法において使用者の耳が携帯型電子機器１に近づいたことを検出すると音再生処理を行う。つまり、制御部１００は、使用者の耳が携帯型電子機器１に近づいたことを検出すると付随処理を行い、使用者の耳が携帯型電子機器１にさらに近づいたことを検出すると音再生処理を行う。以後、制御部１００が使用する当該二つの近接検出方法のうち、先に検出結果が得られる近接検出方法を「１次近接検出方法」と呼び、後に検出結果が得られる近接検出方法を「２次近接検出方法」と呼ぶ。また、付随処理を準備処理と呼ぶことがある。
【０１３１】
１次近接検出方法と２次近接検出方法との組み合わせはとしては様々な組み合わせが考えられる。例えば、１次近接検出方法として第１の近接検出方法を採用し、２次近接検出方法として第２の近接検出方法を採用しても良い。また、制御部１００がテレビ電話アプリケーションを実行している場合には、１次近接検出方法として第４の近接検出方法を採用し、２次近接検出方法として第３の近接検出方法を採用しても良い。以下に、図１４と同様に制御部１００がテレビ電話アプリケーションを実行している際の本変形例に係る携帯型電子機器１の動作について説明する。図１６は当該動作を示すフローチャートである。
【０１３２】
図１６に示されるように、上述のステップｓ１が実行されて、テレビ電話アプリケーションが実行される。そして、上述のステップｓ２が実行されて、音出力部から出力される音の録音が開始される。
【０１３３】
音出力部から出力される音の録音が開始した後に、ステップｓ１１において、制御部１００が、１次近接検出方法において使用者の耳が携帯型電子機器１に近づいたことを検出すると、ステップｓ１２において、制御部１００は、音再生処理の実行の前の準備処理（付随処理）を行う。この準備処理では、上述のように、表示パネル１２０の表示のオフ、音出力部の音出力の停止、マイク１９０の機能のオフ、通信相手装置に対する音再生処理の実行の通知が行われる。
【０１３４】
その後、ステップｓ１３において、制御部１００は、２次近接検出方法において使用者の耳が携帯型電子機器１に近づいたことを検出すると、つまり、使用者の耳が携帯型電子機器１にさらに近づいたことを検出すると、ステップｓ１４において音再生処理を行う。
【０１３５】
ステップｓ１４が実行された後に、ステップｓ５において、音出力部から出力された音についてのレシーバ２２０での再生が終了すると、上述のステップｓ６が実行されて、制御部１００は、携帯型電子機器１が通常のテレビ電話通信を行うようにする。
【０１３６】
なお、上記の例では、制御部１００は、使用者の耳が携帯型電子機器１に近づくと準備処理を行って、その後、使用者の耳が携帯型電子機器１にさらに近づくと音再生処理を行っているが、使用者の耳が携帯型電子機器１に近づくと準備処理を行って、その後、使用者の耳が携帯型電子機器１に接触すると音再生処理を行っても良い。この場合には、制御部１００は、近接検出方法と接触検出方法とを使用する。つまり、上述のステップｓ１１において、第１〜第４の近接検出方法のうちの一つの近接検出方法が使用されて、使用者の耳が携帯型電子機器１に近づいたことが検出されると、ステップｓ１２において準備処理が実行され、その後、ステップｓ１３において接触検出方法が使用されて使用者の耳が携帯型電子機器１に接触したことが検出されると、ステップｓ１４において音再生処理が実行される。
【０１３７】
このように、本変形例では、制御部１００は、音出力部に音を出力させる音出力処理を行っている際に、使用者の耳が携帯型電子機器１に近づいたことを検出すると音再生処理を行う前の準備処理を行い、その後、使用者の耳が携帯型電子機器１にさらに近づいたことあるいは接触したことを検出すると音再生処理を行っている。これにより、レシーバ２２０からの再生音を聞くために使用者が耳を携帯型電子機器１に近づけようとした際には、できるだけ早い段階で準備処理が実行される。よって、音再生処理の実行に起因する問題の発生を抑制することができる。例えば、音再生処理が実行されることによってレシーバ２２０から出力される再生音を使用者が聞こうとした際に、外部スピーカ１８０等の音出力部から音が出力されていることによって使用者が煩わしいと感じるとった問題の発生を抑制することができる。
【０１３８】
＜その他の変形例＞
上記の例では、携帯型電子機器１とイヤホン等の音出力装置とを有線で接続していたが、無線で接続しても良い。具体的には、例えば、外部出力部１７０とは別に、あるいは外部出力部１７０の代わりに、Ｂｌｕｅｔｏｏｔｈ（登録商標）を用いて近距離無線通信を行うことが可能な近距離無線通信部を設ける。そして、近距離無線通信部から、Ｂｌｕｅｔｏｏｔｈ対応のイヤホンあるいはヘッドホンに対して音（音信号）を出力する。この場合には、当該近距離無線通信部が、外部出力部１７０と同様に、音出力装置に音を出力する外部出力部として機能し、当該近距離無線通信部も音出力部に含まれる。したがって、この場合には、近距離無線通信部が音出力装置に音を出力している際に、使用者の耳が携帯型電子機器１に近づいたり接触したりすると、当該近距離無線通信部が出力した音が再生されてレシーバ２２０から出力させる。
【０１３９】
また、上記の例では、本願発明を携帯電話機に適用する場合を例にあげて説明したが、本願発明は、レシーバと、当該レシーバとは別に設けられた音出力部とを備える携帯型電子機器であれば、携帯電話機以外の携帯型電子機器にも適用することができる。
【符号の説明】
【０１４０】
１  携帯型電子機器  
２  カバーパネル
２１  内側主面
１００  制御部
１２０  表示パネル
１３０  タッチパネル
１５０  近接センサ
１６０  加速度センサ
１７０  外部出力部
１８０  外部スピーカ
１９０  マイク
２００  前面側撮像部
２２０  レシーバ
２２１  圧電振動素子
【図１】
0005852510.tif 000002
【図２】
0005852510.tif 000003
【図３】
0005852510.tif 000004
【図４】
0005852510.tif 000005
【図５】
0005852510.tif 000006
【図６】
0005852510.tif 000007
【図７】
0005852510.tif 000008
【図８】
0005852510.tif 000009
【図９】
0005852510.tif 000010
【図１０】
0005852510.tif 000011
【図１１】
0005852510.tif 000012
【図１２】
0005852510.tif 000013
【図１３】
0005852510.tif 000014
【図１４】
0005852510.tif 000015
【図１５】
0005852510.tif 000016
【図１６】
0005852510.tif 000017